(57)【要約】【課題】２種の固形の内容物を２つの収納部に別個に収納した包装体であって、内容物の一方がガス発生性組成物である場合に、２つの収納部を引き裂きによる１回の開封操作で確実に開封できるようにし、開封時の内容物の飛び散りを防止する。【解決手段】フィルムで形成された第１収納部３と第２収納部４が仕切りシール部２Ａを挟んで連続し、第１収納部３に固形のガス発生性組成物２０が収納され、第２収納部４にタブレット状組成物２１が収納されている包装体１Ａが、仕切りシール部２Ａと対向する、第１収納部３の側辺のシール部２Ｂに第１収納部３の開封開始部５を有すると共に、該第１収納部３の開封開始部５による開封予定方向と仕切りシール部２Ａとが交差する領域に第２収納部４の開封開始部６を有し、第１収納部３にガス抜き穴８を有する。【選択図】図１
2020158151.tif 000002
【特許請求の範囲】
【請求項１】
フィルムで形成された第１収納部と第２収納部が仕切りシール部を挟んで連続し、第１収納部に固形のガス発生性組成物が収納され、第２収納部にタブレット状組成物が収納されている包装体であって、仕切りシール部と対向する、第１収納部の側辺のシール部に第１収納部の開封開始部を有すると共に、該第１収納部の開封開始部による開封予定方向と仕切りシール部とが交差する領域に第２収納部の開封開始部を有し、第１収納部にガス抜き穴を有する包装体。
【請求項２】
第２収納部の開封開始部がミシン目状切れ目で形成されている請求項１記載の包装体。
【請求項３】
第１収納部内の、第１収納部の開封開始部と第２収納部の開封開始部に挟まれた領域にミシン目状切れ目が複数並列しており、該ミシン目状切れ目がガス抜き穴となっている請求項１又は２記載の包装宇体。
【請求項４】
第１収納部内の複数並列したミシン目状切れ目が仕切りシール部に延設されており、その延設されたミシン目状切れ目が第２収納部の開封開始部となっている請求項３記載の包装体。
【請求項５】
第１収納部内の複数並列したミシン目状切れ目が第１収納部の側辺のシール部に延設されており、その延設されたミシン目状切れ目が第１収納部の開封開始部となっている請求項３又は４記載の包装体。
【請求項６】
仕切りシール部と対向する第２収納部の側辺が、該第２収納部を形成するフィルムの折り山になっている請求項１〜５のいずれかに記載の包装体。
【請求項７】
フィルムが引裂直進性を有する請求項１〜６のいずれかに記載の包装体。
【請求項８】
第１収納部に収納されているガス発生性組成物が酸素系漂白剤であり、第２収納部に収納されているタブレット状組成物が炭酸塩含有発泡性組成物である請求項１〜７のいずれかに記載の包装体。
【請求項９】
第１収納部と第２収納部が仕切りシール部を挟んで連続し、第１収納部に固形のガス発生性組成物を収納し、第２収納部にタブレット状組成物を収納するための包装袋であって、第１収納部と第２収納部がそれぞれ内容物を収納するための開口部を有し、仕切りシール部と対向する第１収納部の側辺のシール部に第１収納部の開封開始部を有すると共に、該第１収納部の開封開始部による開封予定方向と仕切りシール部とが交差する領域に第２収納部の開封開始部を有し、第１収納部にガス抜き穴を有する包装袋。
【請求項１０】
第２収納部の開封開始部がミシン目状切れ目で形成されている請求項９記載の包装袋。
【請求項１１】
第１収納部内の、第１収納部の開封開始部と第２収納部の開封開始部に挟まれた領域にミシン目状切れ目が複数並列しており、該ミシン目状切れ目がガス抜き穴となる請求項９又は１０記載の包装袋。
【請求項１２】
第１収納部内の複数並列したミシン目状切れ目が仕切りシール部に延設されており、その延設されたミシン目状切れ目が第２収納部の開封開始部となる請求項１１記載の包装袋。
【請求項１３】
第１収納部内の複数並列したミシン目状切れ目が第１収納部の側辺のシール部に延設されており、その延設されたミシン目状切れ目が第１収納部の開封開始部となる請求項１１又は１２記載の包装袋。
【請求項１４】
仕切りシール部と対向する第２収納部の側辺が、該第２収納部を形成するフィルムの折り山になっている請求項９〜１３のいずれかに記載の包装袋。
【発明の詳細な説明】
【技術分野】
【０００１】
本発明は、２つに区分された収納部を有するフィルム製の包装体に関する。
【背景技術】
【０００２】
２種の内容物を別個に収納できるように２つの収納部が仕切りシール部を挟んで連続している２連式の包装体において、２つの収納部を同時に開封できるようにするため、仕切りシール部で包装体を２つ折りにした場合に、２つの収納部を同時に引き裂くことのできるノッチや穴を仕切りシール部に設けることが提案されている（特許文献１）。
【０００３】
一方、洗浄剤には、酸素系漂白剤を含有するＡ剤と、ｐＨ調整機能と発泡機能を担う炭酸塩を含有するＢ剤とを使用時に混合する２剤式の液体洗浄剤がある（特許文献２）。
【先行技術文献】
【特許文献】
【０００４】
【特許文献１】特開２００４−２５００４１号公報
【特許文献２】特開２０１０−１３２７５８号公報
【発明の概要】
【発明が解決しようとする課題】
【０００５】
Ａ剤とＢ剤からなる２剤式の液体洗浄剤を、取り扱い性の点から２剤式の固形洗浄剤とする場合に、例えば、酸素系漂白剤を含有する粉末状のＡ剤と、炭酸塩を含有する粉末状のＢ剤を、従来の２つの収納部を有するフィルム製包装袋に収納すると、保管中のＡ剤からガスが発生することがある。これに対してはＡ剤の収納部が著しく膨れたり破裂したりしないようにフィルム材として厚手の強固なものを使用したり、Ａ剤の収納部に通気孔を開けたりすることが考えられる。
【０００６】
しかしながら、フィルム材として厚手の強固なものを使用し、Ａ剤の収納部に通気孔を開け、収納部の側辺のシール部又は仕切りシール部にノッチ等の開封開始部を設けても、Ａ剤の収納部とＢ剤の収納部を同時に開封しようとすると、開封片が収納部から引きちぎられるときに収納部から粉末が飛び散るおそれがある。
【０００７】
このような従来技術の課題に対し、２種の固形の内容物を２つの収納部に別個に収納した包装体であって、内容物の一方が酸素系漂白剤のように保管中にガスを発生しやすい性質を有するガス発生性組成物であり、その収納部にガスを排出できる通気孔を設ける場合に、２つの収納部を引き裂きによる１回の開封操作で確実に開封でき、開封時の内容物の飛び散りを防止できるようにすることを課題とする。
【課題を解決するための手段】
【０００８】
本発明者は、第１収納部と第２収納部が仕切りシール部を挟んで連続した包装体であって、第１収納部にガス発生性組成物が収納され、第１収納部にガス抜き穴を設ける場合に、仕切りシール部と対向する第１収納部の側辺のシール部にノッチなどの第１収納部の開封開始部を形成すると共に、仕切りシール部の第１収納部の開封開始部に対応する位置に第２収納部の開封開始部を形成すると、第１収納部の開封開始部からの引き裂きが第２収納部の開封開始部に及び、後から開封される第２収納部も容易に開封を完了できること、この場合に、少なくとも第２収納部の内容物を粉末状ではなくタブレット状にすると、第２収納部の開封片が第２収納部から引きちぎられるときでも第２収納部の内容物が飛び散ることを防止でき、また、仮に第２収納部の開封片の第２収納部からの引きちぎりが不完全となり、開封片が第２収納部についたままになった場合でも第２収納部に収納されていた内容物の全量を確実に取り出せることを想到し、本発明を完成させた。
【０００９】
即ち、本発明は、フィルムで形成された第１収納部と第２収納部が仕切りシール部を挟んで連続し、第１収納部に固形のガス発生性組成物が収納され、第２収納部にタブレット状組成物が収納されている包装体であって、仕切りシール部と対向する、第１収納部の側辺のシール部に第１収納部の開封開始部を有すると共に、該第１収納部の開封開始部による開封予定方向と仕切りシール部とが交差する領域に第２収納部の開封開始部を有し、第１収納部にガス抜き穴を有する包装体を提供する。
【００１０】
また、本発明は、第１収納部と第２収納部が仕切りシール部を挟んで連続し、第１収納部に固形のガス発生性組成物を収納し、第２収納部にタブレット状組成物を収納するための包装袋であって、第１収納部と第２収納部がそれぞれ内容物を収納するための開口部を有し、仕切りシール部と対向する第１収納部の側辺のシール部に第１収納部の開封開始部を有すると共に、該第１収納部の開封開始部による開封予定方向と仕切りシール部とが交差する領域に第２収納部の開封開始部を有し、第１収納部にガス抜き穴を有する包装袋を提供する。
【発明の効果】
【００１１】
本発明の包装体によれば、該包装体の保管中に第１収納部に収納されたガス発生性組成物からガスが発生してもそのガスを第１収納部のガス抜き穴から抜くことができる。
【００１２】
また、第１収納部の開封開始部による第１収納部の開封予定方向の延長上に第２収納部の開封開始部があるので、第１収納部の開封開始部から第１収納部を引き裂くと、その引き裂きが第２収納部の開封開始部に及び、第２収納部が引き裂かれるので、一回の開封操作で第１収納部と第２収納部を開封することができる。
【００１３】
また、第１収納部の引き裂きが第２収納部の開封開始部に及び、その第２収納部の開封開始部から第２収納部が引き裂かれることで第２収納部の引き裂きがスムーズになり、第１収納部及び第２収納部から内容物が飛び散ることが防止される。
【００１４】
さらに、第２収納部の内容物はタブレット状であるため、これによっても第２収納部から内容物が飛び散ることが防止されると共に、仮に第２収納部の引き裂きが不完全に行われ、第２収納部に開封片が残存しても、第２収納部の内容物の全量を容易かつ確実に取り出すことが可能となる。
【００１５】
特に、この包装体において、第１収納部にガス発生性組成物として粉末の酸素系漂白剤を収納し、第２収納部にタブレット状の炭酸塩含有発泡性組成物を収納した態様は、第２収納部のタブレット状の炭酸塩含有発泡性組成物が第１収納部の酸素系漂白剤の漂白効果を高めるｐＨ調整剤としても、漂白中に発泡が持続する発泡剤としても作用するので、漂白効果が高く、かつ発泡により漂白作用が持続中であることが視覚的にわかる２剤式の洗浄剤の包装体となる。しかも、酸素系漂白剤と炭酸塩含有発泡性組成物を１回の開封操作で開封できるので、酸素系漂白剤と炭酸塩含有発泡性組成物のいずれか一方だけでなく、双方が同時に使用されるように洗浄剤のユーザーを誘導することができる。
【００１６】
また、本発明の包装袋によれば、その第１収納部にガス発生性組成物を入れ、第２収納部にタブレット状組成物を入れ、包装袋を封じることにより本発明の包装体を容易に得ることができる。
【図面の簡単な説明】
【００１７】
【図１】図１は、実施例の包装体１Ａの平面図である。
【図２】図２は、実施例の包装体１Ｂの平面図である。
【図３】図３は、実施例の包装体１Ｃの平面図である。
【図４】図４は、実施例の包装体１Ｄの平面図である。
【図５】図５は、実施例の包装体１Ｅの平面図である。
【図６】図６は、実施例の包装体１Ｆの平面図である。
【図７】図７は、実施例の包装袋１ｄの平面図である。
【図８】図８は、実施例の包装袋１ｄ’の平面図である。
【発明を実施するための形態】
【００１８】
以下、図面を参照しつつ本発明を詳細に説明する。なお、各図中、同一符号は同一又は同等の構成要素を表している。
【００１９】
（全体構成）
図１は本発明の一実施例の包装体１Ａの平面図である。
この包装体１Ａは、４方シールのフィルム製平袋の略中央部に仕切りシール部２Ａを有し、仕切りシール部２Ａを挟んで第１収納部３と第２収納部４が横並びに連続しており、第１収納部３には固形のガス発生性組成物２０が収納され、第２収納部４にはタブレット状組成物２１が１個又は複数個収納されている。
【００２０】
（第１収納部の開封開始部）
仕切りシール部２Ａと対向する、第１収納部３の側辺のシール部２Ｂには、第１収納部３の開封開始部５としてＶ字型ノッチが形成されている。なお、本発明において、第１収納部の開封開始部５としては、Ｖ字型ノッチに限られず、Ｉ字型ノッチ、Ｕ字型ノッチを形成してもよく、「マジックカット」（登録商標）等のように微細な穴を多数設けることで容易に開封できる部分を形成してもよい。
【００２１】
（第２収納部の開封開始部）
第１収納部３の開封開始部５により、第１収納部３は、該開封開始部５から包装体１Ａの上辺又は下辺と略平行に引き裂かれることとなるが、この場合の矢印Ｘで示す開封予定方向と仕切りシール部２Ａとが交差する領域には、第２収納部４の開封開始部６が形成されている。本実施例の包装体１Ａにおいて、この第２収納部４の開封開始部６としては、開封予定方向Ｘと略平行に伸びたミシン目状切れ目７が複数並列した領域が形成されている。ミシン目状切れ目７としては、ミシン目のカット部分がフィルムを貫通しており、カット部分の長さＬ１が０．５〜２．０ｍｍ、アンカット部分の長さＬ２が０．５〜２．０ｍｍ、並列しているミシン目状切れ目７同士の間隔Ｌ３を０．５〜２．０ｍｍ、並列しているミシン目状切れ目７の本数を８〜５０本又はミシン目状切れ目７の並列領域の幅Ｌ４を３．０〜１５ｍｍとすることが、第２収納部を容易に開封する点から好ましい。一方、第２収納部４の開封開始部６としては、図２に示す包装体１Ｂのように、Ｙ字の上端を第１収納部３の開封開始部５に向けたＹ字型切り込みや、Ｘ字の＞形部分を第１収納部３の開封開始部５に向けたＸ字型切り込みを設けてもよい。第１収納部３の開封開始部５から上下に多少ズレながら第１収納部３が引き裂かれていったときに、第２収納部４を引き裂く手前の仕切りシール部２Ａにある第２収納部４の開封開始部６の切り込み部で、第１収納部３における引き裂き方向のズレを開封予定方向Ｘと略平行な方向に修正でき、かつこの開封開始部６における個々の切り込み長さを短くできることから、第２収納部４の開封開始部６としてはミシン目状切れ目が好ましい。ミシン目状切れ目とすることにより、包装体１Ａの製造過程や、製造された包装体の搬送過程で開封開始部６の切り込みが不用にひっかかることを防止することもできる。
【００２２】
第２収納部４の開封開始部６が、上述した包装体１Ａ、１Ｂの開封開始部６のいずれであっても、第１収納部３の開封開始部５からこの包装体１Ａ、１Ｂを引き裂くと、まず、第１収納部３が引き裂かれて開封し、その引裂が仕切りシール部２Ａに設けられている第２収納部４の開封開始部６に達し、それにより、引裂力が第２収納部４の引き裂きに有効に作用し、第２収納部４も引き裂かれる。したがって、１回の引裂操作で第１収納部３と第２収納部４の双方が開封され、第１収納部３に収納されているガス発生性組成物２０と第２収納部４に収納されているタブレット状組成物２１の双方を収納部３、４から取り出すことが可能となる。一般に、フィルム製包装体の内容物が粉体の場合には、その包装体をノッチから引き裂き、引裂片が包装袋から引きちぎられるときには内容物が飛び散らないように注意を払うことが必要とされるが、この包装体１Ａ、１Ｂでは第１収納部３の開封開始から第２収納部４の開封完了までスムーズに引き裂きが進行するので内容物の飛び散りが起こりにくく、さらに、第２収納部４の内容物がタブレット状であるため、第１収納部３から第２収納部４まで一気に引き裂いても第２収納部４から内容物が飛び散る虞がない。
【００２３】
（ガス抜き穴）
また、この包装体１Ａには、第１収納部３に収納されたガス発生性組成物２０から発生するガスのガス抜き穴８として、開封予定方向Ｘと略平行に伸びたミシン目状切れ目９が複数並列するように設けられている。このミシン目状切れ目９は、第１収納部３内の、第１収納部３の開封開始部５と第２収納部４の開封開始部６に挟まれた領域に設けられている。したがって、ミシン目状切れ目９は、ガス抜き穴として作用するだけでなく、第１収納部３の直線的な開封をより容易にする開封誘導線としても作用する。このようなミシン目状切れ目９としては、ミシン目のカット部分の長さＬ１が０．５〜２．０ｍｍ、アンカット部分の長さＬ２が０．５〜２．０ｍｍ、並列しているミシン目状切れ目９の間隔Ｌ３を０．５〜２．０ｍｍ、ミシン目状切れ目９の並列領域の幅Ｌ４を３．０〜１５ｍｍとすることが、ガス抜き穴と開封誘導線の双方の機能をもたせる点から好ましい。
【００２４】
なお、本発明において、ガス抜き穴としては、第１収納部３に収納された粉末状のガス発生性組成物２０が粉漏れすることなくガス抜きができればよい。したがって、ミシン目状切れ目９に代えて、例えば直径０．４〜２．０ｍｍの小孔を格子状に設けてもよく、ランダムに設けてもよい。
【００２５】
（フィルム材料）
本発明の包装体１Ａ、１Ｂを構成するフィルム材料としては、開封予定方向Ｘの引裂直進性をもたない一般的なフィルムを使用することができ、このようなフィルムとしては、例えば、ポリエチレンテレフタレート等のポリエステル；ナイロン等のポリアミド；低密度ポリエチレン(LDPE)、リニア低密度ポリエチレン(L-LDPE)、延伸ポリプロピレン（OPP）、無延伸ポリプロピレン（CPP）等のオレフィン系フィルム等が挙げられる。フィルム材料は単層フィルムでも積層フィルムでもよい。一方、開封開始部５から１回の引裂操作で第１収納部３と第２収納部４の双方をより容易に開封できるようにするためには、開封予定方向Ｘの引裂直進性を有するフィルム材料を使用することが好ましい。このようなフィルム材料としては、延伸などにより引裂直進性を有するものが好ましく、特に、包装体を形成するフィルム材料を外側表層と内側シーラント層を備えた積層フィルムとする場合、外側表層と内側シーラント層がそれぞれ開封予定方向Ｘの引裂直進性を有することが好ましい。中でも、外側表層を、引裂直進性を有するＰＥＴ層とし、内側シーラント層を、引裂直進性を有する３層共押出層とし、この３層共押出層を、外側から順に、接着性及び緩衝性を有するポリエチレン層と、引裂直進性を有するポリエチレンとオレフィンからなる中間層と、シール性及び耐衝撃性を有するポリエチレン層との積層構造とすることが好ましい。
【００２６】
なお、フィルム材料は、内容物を透視できる点から透明であることが好ましいが、必要に応じて遮光性を有していてもよい。
【００２７】
（第１収納部の内容物）
一方、第１収納部３の内容物として収納されているガス発生性組成物２０としては、第２収納部４に収納されているタブレット状組成物２１と併用することにより、例えば、衣類、シーツ、タオル等の繊維製品の漂白、除菌、消臭に有用な固形の酸素系漂白剤等をあげることができる。ガス発生性組成物２０は、界面活性剤、漂白活性化剤、酵素等を含有していてもよい。より具体的には、酸素系漂白剤としては、例えば、特開２００７−９１００号公報に記載されている粉末洗浄剤組成物をあげることができる。また、ｐＨ１０．５〜１０．８で高い殺菌漂白力を発揮する酸素系漂白剤を使用することができる。この酸素系漂白剤は、過炭酸ナトリウム、過ホウ酸ナトリウム等の過酸化水素付加物を含有し、保管中に分解して酸素ガスを発生する。
【００２８】
第１収納部３に収容されているガス発生性組成物２０の形態は、ガス抜き穴８から漏れ出ることのない固形であればよく、粉末状、タブレット状等とすることができる。ガス発生性組成物２０の全量を水に溶かし、その溶液に第２収納部４のタブレット状組成物２１を徐々に溶解させ、殺菌漂白作用の強い有機過酸の生成効率を高める点からは、ガス発生性組成物２０は粉末状とすることが好ましい。
【００２９】
（第２収納部の内容物）
第２収納部４の内容物として収納されているタブレット状組成物２１としては、例えば、特開２０１２―６８４７号公報に記載されている炭酸ナトリウム等の炭酸塩を含有する組成物、特開２００２―１８００９８号公報に記載されている錠剤型洗剤の水溶性無機塩を含有する組成物及びクエン酸、コハク酸等の水に溶けにくい有機酸をタブレット状に成形したものを挙げることができる。これらの組成物は炭酸塩及び有機酸を含有し、その水溶液はｐＨを酸素系漂白剤の漂白能力を高めるアルカリ性に維持するｐＨ調整剤として機能すると共に、炭酸ガスの泡を発生し、洗浄が持続していることをユーザーに知らせる発泡剤としても機能する。
【００３０】
タブレット状組成物２１の外形や大きさは、特に制限はないが、第１収納部のガス発生性組成物が酸素系漂白剤の場合、漂白中にタブレット状組成物２１からの発泡を持続させて有機過酸の生成率を向上させる点からタブレット状組成物２１の外形は同じ体積でも表面積を小さくすることが好ましい。したがって、小径のものを複数個使用するよりも大径のものをより少ない個数で使用することが好ましい。また、第２収納部４に収納するタブレット状組成物２１の個数は、袋内でのタブレット同士の衝突による割れの点からできるだけ少ない個数とすることが好ましい。より具体的には、第２収納部４には、直径１５〜５０ｍｍ、厚さ５〜２５ｍｍのタブレット状組成物を１〜３個収納することが好ましく、収納個数を１個とすることがより好ましい。
【００３１】
なお、この炭酸塩を含有する組成物は、保管中に炭酸ガスが発生しないようにするため、第２収納部４には水分バリア性が必要とされる。したがって、第２収納部４にはガス抜き穴８は設けず、第２収納部４の開封開始部６として設けるミシン目状切れ目や切り込みは第２収納部４にかからないようにする。
【００３２】
（変形態様）
本発明の包装体は、種々の態様をとることができる。例えば、図３に示した包装体１Ｃは、上述の図１に示した包装体１Ａにおいて、第１収納部３のガス抜き穴８として設けた複数列のミシン目状切れ目９を仕切りシール部２Ａに延設し、仕切りシール部２Ａに延設した複数列のミシン目状切れ目９が第２収納部４の開封開始部６となるようにしたものである。このように複数列のミシン目状切れ目をガス抜き穴８としても開封開始部６としても機能させる場合、ミシン目のカット部分の長さＬ１を０．５〜２．０ｍｍ、アンカット部分の長さＬ２を０．５〜２．０ｍｍ、並列しているミシン目状切れ目９の間隔Ｌ３を０．５〜２．０ｍｍ、並列しているミシン目状切れ目９の本数を８〜７０本又はミシン目状切れ目９の並列領域の幅Ｌ４を３．０〜１５ｍｍとすることが好ましい（ミシン目の長さ等の符号については図１参照）。
【００３３】
図４に示した包装体１Ｄは、図３においてガス抜き穴８及び第２収納部４の開封開始部６として設けたミシン目状切れ目９を、第１収納部３の側辺のシール部２Ｂに延設し、側辺のシール部２Ｂに延設したミシン目状切れ目９が、第１収納部３の開封開始部５として機能するようにしたものである。
【００３４】
図５に示した包装体１Ｅは、図４に示した包装体１Ｄにおいて、仕切りシール部２Ａと対向する第２収納部４の側辺２Ｃが、フィルムを２つ折りにした折り山になるようにしたものである。したがって、この包装体１Ｅは、３方シールのフィルム製平袋の略中央部に仕切りシール部２Ａが形成されているものとなる。この態様によれば、第２収納部４の側辺２Ｃがフィルムの折り山であることにより、この側辺２Ｃを負荷なく引き裂くことができるので、第１収納部３の開封開始部５から第２収納部４の側辺２Ｃまでをきれいに切ることができる。
【００３５】
図６に示した包装体１Ｆは、図４に示した包装体１Ｄにおいて、第１収納部３及び第２収納部４の底辺２Ｄが、フィルムを２つ折りにした折り山になるようにしたものである。この態様によれば、折り山のある底辺２Ｄの反対側の開口部が自ずと開くようになるので、内容物の充填や取り出しが容易となる。
【００３６】
本発明の包装体において、上述した第１収納部３の開封開始部５、第１収納部のガス抜き穴８、第２収納部４の開封開始部６の形成態様は、適宜変形したり組み合わせたりすることができる。例えば、第２収納部４の側辺のシール部に開封開始部６を、第１収納部３の開封開始部５と対向する位置に設けてもよい。
【００３７】
本発明の包装袋は、上述した包装体１Ａ〜１Ｆの製造に使用するに好適な包装袋であって、上述した包装体１Ａ〜１Ｆに内容物２０、２１が収納されておらず、内容物２０、２１を収納するための開口部を備えたものである。例えば、図４に示した包装体１Ｄに対応する包装袋としては、図７に示すように、包装袋の上辺に開口部１０を有する包装袋１ｄや図８に示すように、包装袋の下辺に開口部１０を有する包装袋１ｄ’を挙げることができ、他の包装体１Ａ、１Ｂ、１Ｃ、１Ｅ、１Ｆに対応する包装袋も同様に開口部を設けたものとすることができる。開口部１０から内容物が包装袋に収納された後、開口部１０はシールされ、包装体となる。
【符号の説明】
【００３８】
１Ａ、１Ｂ、１Ｃ、１Ｄ、１Ｅ、１Ｆ  包装体
１ｄ、１ｄ’  包装袋
２Ａ  仕切りシール部
２Ｂ  側辺のシール部
２Ｃ  フィルム材料の折り山となっている側辺
２Ｄ  フィルム材料の折り山となっている底辺
３  第１収納部
４  第２収納部
５  第１収納部の開封開始部
６  第２収納部の開封開始部
７  ミシン目状切れ目
８  ガス抜き穴
９  ミシン目状切れ目
１０  開口部
２０  ガス発生性組成物
２１  タブレット状組成物
Ｘ  開封予定方向
【図１】
2020158151.tif 000003
【図２】
2020158151.tif 000004
【図３】
2020158151.tif 000005
【図４】
2020158151.tif 000006
【図５】
2020158151.tif 000007
【図６】
2020158151.tif 000008
【図７】
2020158151.tif 000009
【図８】
2020158151.tif 000010